(57)【要約】【目的】  犬等のペットの毛並の手入れを行なうことができるとともに、排泄物の回収をすることができるペット用排泄物回収袋兼用毛並手入用具を提供することを目的としている。【構成】  不織布からなる一端が開放された外袋１１０と、この外袋１１０の内側に設けられ、不透水性シートからなる一端が開放された内袋１２０と、この内袋１２０の内側に設けられた粘着テープ１３０とを備えており、人が手を入れられる程度の大きさに設定されている。また、外袋１１０に炭の微粉末が含浸されたり、内袋１２０が、光不透過性合成樹脂又は光散乱合成樹脂からなることが望ましい。毛並の手入れをした後や排泄物を回収した後には、ペット用排泄物回収袋兼用毛並手入用具１００の裏表をひっくり返し、表側になった内袋１２０についた粘着テープ１３０のピール紙１３２をはがすとともに、開口部を絞って封止する。【選択図】      図１
2007117053.tif 000002
【特許請求の範囲】
【請求項１】
不織布からなる一端が開放された外袋と、この外袋の内側に設けられ、不透水性シートからなる一端が開放された内袋と、この内袋の内側に設けられた粘着テープとを具備しており、人が手を入れられる程度の大きさに設定されていることを特徴とするペット用排泄物回収袋兼用毛並手入用具。
【請求項２】
前記外袋には、炭の微粉末が含浸されていることを特徴とする請求項１記載のペット用排泄物回収袋兼用毛並手入用具。
【請求項３】
少なくとも前記内袋は、光不透過性合成樹脂又は光散乱合成樹脂からなることを特徴とする請求項１又は２記載のペット用排泄物回収袋兼用毛並手入用具。
【請求項４】
二つ折りにされた部分を互い違いにして重ねた状態で箱体に収納されていることを特徴とする請求項１、２又は３記載のペット用排泄物回収袋兼用毛並手入用具。
【請求項５】
請求項４記載のペット用排泄物回収袋兼用毛並手入用具は、二つ折りにされた状態で開放された側が上側に位置することを特徴とするペット用排泄物回収袋兼用毛並手入用具。
【発明の詳細な説明】
【技術分野】
【０００１】
本発明は、犬等のペットの排泄物を回収する袋を兼用する毛並手入用具に関する。
【背景技術】
【０００２】
家庭で飼育されているペットの代表的な動物である犬は、少なくとも一日一回の散歩が必要である。この散歩は、健康維持及び促進のため、犬の運動を確保するという役目もあるが、排泄のチャンスを確保するという役目をも有している。排泄物を回収するための袋としては、特開２００４−８１０７８号公報記載のペット用汚物回収袋がある。
【０００３】
この特開２００４−８１０７８号公報記載のものは、『不透水性シートから成り、底部および開口部を有する袋体と、前記袋体を平坦状に折畳んだ状態で、その袋体の外方に臨む一方の表面の底部寄りの領域に貼着され、微小な凹凸が全面にわたって形成される吸水性シートと、前記平坦状に折畳まれた袋体の内方に臨む一方の表面の前記吸水性シートが貼着される領域よりも開口部寄りの領域に貼着され、粘着層が形成される開口部封止用テープとを含む』ペット用汚物回収袋である。
【０００４】
このペット用汚物回収袋は、袋体の内側に手を入れ、吸水性シートの部分で排泄物を掴み、その状態でペット用汚物回収袋を裏表が逆になるようにひっくり返し、表側になった開口部封止用テープで開口部を封止して、汚物を回収する。
【０００５】
【特許文献１】特開２００４−８１０７８
【発明の開示】
【発明が解決しようとする課題】
【０００６】
しかしながら、従来のペット用汚物回収袋は単に排泄物を回収するだけのものであり、散歩の際に必ず必要な毛並の手入れについてはまったく役に立たないものである。
【０００７】
本発明は、上記事情に鑑みて創案されたもので、犬等のペットの毛並の手入れを行なうことができるとともに、排泄物の回収をすることができるペット用排泄物回収袋兼用毛並手入用具を提供することを目的としている。
【課題を解決するための手段】
【０００８】
本発明に係るペット用排泄物回収袋兼用毛並手入用具は、不織布からなる一端が開放された外袋と、この外袋の内側に設けられ、不透水性シートからなる一端が開放された内袋と、この内袋の内側に設けられた粘着テープとを備えており、人が手を入れられる程度の大きさに設定されている。
【発明の効果】
【０００９】
本発明に係るペット用排泄物回収袋兼用毛並手入用具は、不織布からなる一端が開放された外袋と、この外袋の内側に設けられ、不透水性シートからなる一端が開放された内袋と、この内袋の内側に設けられた粘着テープとを備えており、人が手を入れられる程度の大きさに設定されているので、毛並の手入れを行なった後や、排泄物を回収した後に、ペット用排泄物回収袋兼用毛並手入用具の裏表をひっくり返して、前記粘着テープで封止することができるので、体毛や排泄物の臭いが外部に漏れでないので大変便利である。特に、不織布からなる外袋が内袋の外側の全面にあるので、毛並の手入れも行なうことができる。
【００１０】
また、前記外袋に炭の微粉末が含浸されていると、炭の微粉末の有する臭いを吸着する能力により、毛並の手入れの後につく体毛の臭いや排泄物の臭いが外部に漏れでないようになる。
【００１１】
また、少なくとも前記内袋が、光不透過性合成樹脂又は光散乱合成樹脂からなると、外袋に付着した体毛や回収した排泄物が外部から見えないので好都合である。
【００１２】
また、二つ折りにされた部分を互い違いにして重ねた状態で箱体に収納されていると、一枚ずつ取り出しやすいので大変便利である。
【００１３】
さらに、ペット用排泄物回収袋兼用毛並手入用具は、二つ折りにされた状態で開放された側が上側に位置すると、箱体から取り出した際に、開口部が自然と開くので、手を入れやすくなるという効果がある。
【発明を実施するための最良の形態】
【００１４】
図１は本発明の実施の形態に係るペット用排泄物回収袋兼用毛並手入用具の概略的斜視図、図２は本発明の実施の形態に係るペット用排泄物回収袋兼用毛並手入用具の概略的断面図、図３は本発明の実施の形態に係るペット用排泄物回収袋兼用毛並手入用具を用いた毛並の手入れ方法を示す概略的説明図、図４は本発明の実施の形態に係るペット用排泄物回収袋兼用毛並手入用具を用いた排泄物の回収方法を示す概略的説明図、図５は本発明の実施の形態に係るペット用排泄物回収袋兼用毛並手入用具が箱体に収納された状態を示す概略的断面図である。
【００１５】
本発明の実施の形態に係るペット用排泄物回収袋兼用毛並手入用具１００は、不織布からなる一端が開放された外袋１１０と、この外袋１１０の内側に設けられ、不透水性シートからなる一端が開放された内袋１２０と、この内袋１２０の内側に設けられた粘着テープ１３０とを備えており、人が手を入れられる程度の大きさに設定されている。
【００１６】
前記外袋１１０は、不織布からなり、一辺のみが開口部として開放された矩形状の袋体である。また、前記内袋１２０は水を通さない、例えば、ポリエチレン樹脂からなる一辺のみが開口部として開放された矩形状の袋体である。
【００１７】
特に、前記外袋１１０は、炭の微粉末が含浸されている不織布から構成することが望ましい。なぜならば、炭の微粉末の臭いを吸着する能力により、毛並の手入れの後につく体毛の臭いや排泄物Ｈの臭いが外部に漏れでないようにするためである。外袋１１０は、毛並の手入れをした後や、排泄物Ｈを回収した後は、内側に位置するため、この外袋１１０に炭の微粉末を含浸させておくことが効果の点からも望ましいのである。
【００１８】
特に、内袋１２０は、光を透過させない光不透過性合成樹脂や、光を散乱させて内側が見えないようにする光散乱合成樹脂にすることが望ましい。なぜならば、回収した排泄物Ｈが外部から見えると不快感を与えるから、その不快感を低減させるためである。
【００１９】
この外袋１１０と内袋１２０との二重の袋は、矩形状の不織布、不透水性シート、不透水性シート及び不織布をこの順番に積層し、三辺を高周波溶着等でつなぎ合わせることによって形作られる。高周波溶着等でつなぎ合わされない部分は、開口部として開放されている。
【００２０】
そして、特に重要なのは、前記開口部を通して、内袋１２０の内側に手を入れることができる程度の大きさ、例えば、２０ｃｍ×２５ｃｍ程度の大きさになっていることである。手が入らないようなものや大きすぎるものであると、毛並の手入れや排泄物Ｈの回収をスムーズに行なうことができないためである。ただし、本発明に係るペット用排泄物回収袋兼用毛並手入用具１００の大きさが、上記寸法に限定されるものでないことはいうまでもない。
【００２１】
また、前記内袋１２０の内側には、開口部に対して平行に粘着テープ１３０が取り付けられている。この粘着テープ１３０は、毛並の手入れを行なったり、排泄物Ｈを回収したりした後に開口部を封止するものであり、粘着層１３１が剥離可能なピール紙１３２でカバーされている。
【００２２】
このように構成されたペット用排泄物回収袋兼用毛並手入用具１００を用いた毛並の手入れは、図３に示すように、内袋１２０の内側に手を入れて、犬等のペットの体をなぞる。これにより、抜けた体毛が外袋１１０に絡みとられる。特に、散歩で汗をかいた後や雨等に濡れた後には、特に効果的である。このように毛並の手入れをした後には、ペット用排泄物回収袋兼用毛並手入用具１００の裏表をひっくり返し、表側になった内袋１２０についた粘着テープ１３０のピール紙１３２をはがすとともに、開口部を絞って封止する。
【００２３】
また、このペット用排泄物回収袋兼用毛並手入用具１００を用いた排泄物Ｈの回収は、図４に示すように、内袋１２０の内側に手を入れて、排泄物Ｈをつまむ（図４（Ａ）参照）。そして、ペット用排泄物回収袋兼用毛並手入用具１００の裏表をひっくり返し、表側になった内袋１２０についた粘着テープ１３０のピール紙１３２をはがすとともに、開口部を絞って封止する（図４（Ｂ）参照）。
【００２４】
また、このペット用排泄物回収袋兼用毛並手入用具１００は、排泄の後に外袋１１０に若干の水を付けてペットの肛門を清拭することも可能である。もちろん、水を付けなくても肛門の清拭は可能である。
【００２５】
このようなペット用排泄物回収袋兼用毛並手入用具１００は、折り畳んだ上端で収納袋等に収納することも可能であるが、図５に示すようにして箱体２００に収納しておくと、取り出しやすいので大変便利である。
【００２６】
すなわち、ペット用排泄物回収袋兼用毛並手入用具１００を二つ折りにし、二つ折りにされた部分を互い違いにして重ねた状態で箱体２００に収納するのである。そして、箱体２００の上面２１０には最上部に位置するペット用排泄物回収袋兼用毛並手入用具１００の一端が飛び出すための開口２１１が開設されている。
【００２７】
このように構成すると、最上部に位置するペット用排泄物回収袋兼用毛並手入用具１００を引っ張りだすことにより、その下側に位置するペット用排泄物回収袋兼用毛並手入用具１００の一端が前記開口２１１から自然と飛び出すので、ペット用排泄物回収袋兼用毛並手入用具１００を取り出しやすいという効果がある。
【００２８】
特に、ペット用排泄物回収袋兼用毛並手入用具１００は、二つ折りにされた状態で開放された側が上側に位置するようにして、二つ折りにされた部分を互い違いにして重ねた状態で箱体２００に収納すると、箱体２００の開口２１１から飛び出しているのは、ペット用排泄物回収袋兼用毛並手入用具１００の開口部側となるので、箱体２００から引っ張りだす際にペット用排泄物回収袋兼用毛並手入用具１００の開口部が自然と開いた状態になるので、手を入れやすくなるという効果がある。
【００２９】
なお、このペット用排泄物回収袋兼用毛並手入用具１００は上述のように、二つ折りにされた部分を互い違いにして重ねた状態で箱体２００に収納されるだけでなく、折り畳まれて単に積層された状態で箱体やビニールパックに収納されることもある。
【図面の簡単な説明】
【００３０】
【図１】本発明の実施の形態に係るペット用排泄物回収袋兼用毛並手入用具の概略的斜視図である。
【図２】本発明の実施の形態に係るペット用排泄物回収袋兼用毛並手入用具の概略的断面図である。
【図３】本発明の実施の形態に係るペット用排泄物回収袋兼用毛並手入用具を用いた毛並の手入れ方法を示す概略的説明図である。
【図４】本発明の実施の形態に係るペット用排泄物回収袋兼用毛並手入用具を用いた排泄物の回収方法を示す概略的説明図である。
【図５】本発明の実施の形態に係るペット用排泄物回収袋兼用毛並手入用具が箱体に収納された状態を示す概略的断面図である。
【符号の説明】
【００３１】
１００    ペット用排泄物回収袋兼用毛並手入用具
１１０    外袋
１２０    内袋
１３０    粘着テープ
【図１】
2007117053.tif 000003
【図２】
2007117053.tif 000004
【図３】
2007117053.tif 000005
【図４】
2007117053.tif 000006
【図５】
2007117053.tif 000007